(57)【要約】      （修正有）【課題】軽量で強靭であると共に、表面に金属感と鏡面光沢を有し、且つ多彩で綺麗な外観を有する。【解決手段】クラブ形状を持ち炭素繊維で作製された炭素繊維クラブ１０と、炭素繊維クラブの表面に形成され、その上で炙り層１２が形成され、且つ炙り層の上で表面仕上げ層１３が形成された下塗りペイント層１１と、表面仕上げ層の上で形成される下塗りペイント層と、スパッタリングにより下塗りペイント層の上で形成される鏡面スパッタリング層２１と、鏡面スパッタリング層を保護し、透明であり、光沢を持つ保護ペイント層２２と、保護ペイント層の上で形成され、且つその上で炙り層２４が形成される色だんだん変化層２３と、色だんだん変化層の上で形成される表面仕上げ層３０と、表面仕上げ層の上で形成される表面ペイント層４０と、を含むことを特徴とする金属光沢持ち炭素繊維クラブ。【選択図】図２
0003137615.tif 000002
【実用新案登録請求の範囲】
【請求項１】
クラブ形状を持ち炭素繊維で作製された炭素繊維クラブと、
前記炭素繊維クラブの表面に形成され、その上で炙り層が形成され、且つ前記炙り層の上で表面仕上げ層が形成された下塗りペイント層と、
前記表面仕上げ層の上で形成される下塗りペイント層と、
スパッタリングにより前記下塗りペイント層の上で形成される鏡面スパッタリング層と、
主に、前記鏡面スパッタリング層を保護し、透明であり、光沢を持つ保護ペイント層と、
前記保護ペイント層の上で形成され、且つその上で炙り層が形成される色だんだん変化層と、
前記色だんだん変化層の上で形成される表面仕上げ層と、
前記表面仕上げ層の上で形成される表面ペイント層と、を含むことを特徴とする、
金属光沢持ち炭素繊維クラブ。
【請求項２】
前記下塗りペイント層は透明であってもいいことを特徴とする、請求項１に記載の金属光沢持ち炭素繊維クラブ。
【請求項３】
前記色だんだん変化層は一つ以上の顔色を有することを特徴とする、請求項１に記載の金属光沢持ち炭素繊維クラブ。
【考案の詳細な説明】
【技術分野】
【０００１】
本考案は、炭素繊維クラブに係り、特に、表面に、金属感を有し、鏡面光沢を有し、且つ多彩で綺麗な外観を有する金属光沢持ち炭素繊維クラブに関するものである。
【背景技術】
【０００２】
図１に示したのは従来の炭素繊維クラブ１であり、従来の炭素繊維クラブ１は、軽量で強靭である特性を有するが、その表面が粗いので、どのように研磨しても、ペイントを塗った後の表面が暗くて光線を反射できず、見栄えが良くないので、販売価格を上げることができず、且つ売上を向上することもできない。
【考案の開示】
【考案が解決しようとする課題】
【０００３】
本考案の主な目的は、表面に、金属感を有し、鏡面光沢を有し、且つ多彩で綺麗な外観を有する金属光沢持ち炭素繊維クラブを提供することにある。
【課題を解決するための手段】
【０００４】
上記目的を達成するためになされた本願の考案は、クラブ形状を持ち炭素繊維で作製された炭素繊維クラブと、前記炭素繊維クラブの表面に形成され、その上で炙り層が形成され、且つ前記炙り層の上で表面仕上げ層が形成された下塗りペイント層と、前記表面仕上げ層の上で形成される下塗りペイント層と、スパッタリングにより前記下塗りペイント層の上で形成される鏡面スパッタリング層と、主に、前記鏡面スパッタリング層を保護し、透明であり、光沢を持つ保護ペイント層と、前記保護ペイント層の上で形成され、且つその上で炙り層が形成される色だんだん変化層と、前記色だんだん変化層の上で形成される表面仕上げ層と、前記表面仕上げ層の上で形成される表面ペイント層と、を含むことを特徴とする金属光沢持ち炭素繊維クラブであることを要旨としている。
【０００５】
本願の考案では、前記下塗りペイント層は透明であってもいいことを特徴とする請求項１に記載の金属光沢持ち炭素繊維クラブであることを要旨としている。
【０００６】
本願の考案では、前記色だんだん変化層は一つ以上の顔色を有することを特徴とする請求項１に記載の金属光沢持ち炭素繊維クラブであることを要旨としている。
【０００７】
本願の考案では、前記保護ペイント層は透明であってもいいことを特徴とする請求項１に記載の金属光沢持ち炭素繊維クラブであることを要旨としている。
【考案の効果】
【０００８】
本考案の金属光沢持ち炭素繊維クラブによれば、次のような効果がある。
（イ）従来の炭素繊維クラブが暗くて光線を反射できない欠点を解決することにより、見栄えが更に良くなり、売上および販売価格を向上可能である。
【０００９】
（ロ）本考案の炭素繊維クラブは、軽量で強靭である特性を有すると共に、表面に、金属感を有し、鏡面光沢を有し、且つ多彩で綺麗な外観を有する。
【考案を実施するための最良の形態】
【００１０】
以下、添付図面を参照して本考案の好適な実施の形態を詳細に説明する。
【００１１】
まず、図２を参照する。本考案の金属光沢持ち炭素繊維クラブは、炭素繊維クラブ１０と、下塗りペイント層１１と、下塗りペイント層２０と、鏡面スパッタリング層２１と、保護ペイント層２２と、色だんだん変化層２３と、表面仕上げ層３０と、表面ペイント層４０と、を含む。
【００１２】
前記炭素繊維クラブ１０は、クラブ形状を持ち炭素繊維で作製されたものである。
【００１３】
前記下塗りペイント層１１は、透明材料を使用してもよく、前記炭素繊維クラブ１０の表面に形成され、その上で炙り層１２が形成され、これらを炙ったと前記炭素繊維クラブ１０に前記下塗りペイント層１１を確実に結合可能であり、且つ前記炙り層１２の表面を研磨したと表面仕上げ層１３が形成された。
【００１４】
前記下塗りペイント層２０は、前記表面仕上げ層１３の上で形成される。
【００１５】
前記鏡面スパッタリング層２１は、スパッタリングにより前記下塗りペイント層２０の上で形成される。
【００１６】
前記保護ペイント層２２は、主に、前記鏡面スパッタリング層２１を保護し、透明であり、光沢を持ち、スプレー方式で形成してもいい。
【００１７】
前記色だんだん変化層２３は、前記保護ペイント層２２の上で形成され、且つその上で炙り層２４が形成され、これらを炙ったと前記保護ペイント層２２に前記色だんだん変化層２３を確実に結合可能であり、且つ前記色だんだん変化層２３は一つ以上の顔色を有する。
【００１８】
前記表面仕上げ層３０は、前記色だんだん変化層２３の表面を研磨して形成される。
【００１９】
前記表面ペイント層４０は、前記表面仕上げ層３０の上で形成され、全体の表面を艶出すためのものである。
【００２０】
また、図３を参照する。本考案の炭素繊維クラブ１０の表面に、下塗りペイント層１１と、炙り層１２と、表面仕上げ層１３と、下塗りペイント層２０と、鏡面スパッタリング層２１と、保護ペイント層２２と、色だんだん変化層２３と、炙り層２４と、表面仕上げ層３０と、表面ペイント層４０と、を順次に塗装や加工をすると、軽量で強靭である特性を有すると共に、表面に、金属感を有し、鏡面光沢を有し、且つ多彩で綺麗な外観を有する金属光沢持ち炭素繊維クラブを得ることができる。
【００２１】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２２】
【図１】従来の炭素繊維クラブの概略図である。
【図２】本考案の炭素繊維クラブの断面図である。
【図３】本考案の炭素繊維クラブの概略図である。
【符号の説明】
【００２３】
１０      炭素繊維クラブ   
１１      下塗りペイント層
１２      炙り層                         
１３      表面仕上げ層
２０      下塗りペイント層               
２１      鏡面スパッタリング層
２２      保護ペイント層   
２３      色だんだん変化層
２４      炙り層                         
３０      表面仕上げ層
４０      表面ペイント層
【図１】
0003137615.tif 000003
【図２】
0003137615.tif 000004
【図３】
0003137615.tif 000005